(57)【特許請求の範囲】
【請求項１】
建物に設置して浸水を防止する浸水防止パネルシートにおいて、
建物の周囲に追従して変形可能な可撓性があり非透水性のシートと、
前記シートの下端部であり、折り曲げ可能とされたつば部と、
前記シートに覆われ、所定幅を有し、前記シートの長手方向に間隔を置いて配置された複数枚の板状のパネルと、
を備え、
前記パネルは前記シートに固定されており、
前記建物に設置する際、前記つば部を折り曲げて地面側に敷設し、前記パネルを前記建物側に立て掛けることを特徴とする浸水防止パネルシート。
【請求項２】
前記つば部の地面側となる面に前記シートより柔軟性の高い弾性体である下ゴムシートが設けられていることを特徴とする請求項１に記載の浸水防止パネルシート。
【請求項３】
前記シートの上部の左右両端に前記シートより柔軟性の高い弾性体である角部ゴムシートがそれぞれ配置され、前記角部ゴムシートは前記建物の角部に設置されることを特徴とする請求項１または２に記載の浸水防止パネルシート。
【請求項４】
前記シートの左右両端に接続ファスナが設けられ、複数の前記浸水防止パネルシートが前記接続ファスナ同士で接続されることにより、前記浸水防止パネルシートが長手方向に複数接続されることを可能とする請求項１〜３のいずれか１項に記載の浸水防止パネルシート。
【請求項５】
前記シートの左右両端に前記シートより柔軟性の高い弾性体であり、浸水防止パネルシート同士を接続するとき、互いの密着を確実にする端部ゴムシートが設けられたことを特徴とする請求項４に記載の浸水防止パネルシート。
【請求項６】
前記シートを設置したときの高さＨが５０〜１００ｃｍ、長さＬが２００〜３００ｃｍ、前記つば部の幅Ｍが３０〜５０ｃｍとされたことを特徴とする請求項１〜５のいずれか１項に記載の浸水防止パネルシート。
【請求項７】
前記シートの上端部に展開部を設け、前記展開部を持ち上げて前記シートの高さを大きくして前記建物側に立て掛け可能としたことを特徴とする請求項１〜６のいずれか１項に記載の浸水防止パネルシート。
【請求項８】
前記パネルと前記シートの対応する位置にカシメ穴が設けられ、前記カシメ穴にブラインドリベットが挿入され、前記パネルと前記シートとが共に固定されていることを特徴とする請求項１〜７のいずれか１項に記載の浸水防止パネルシート。
【請求項９】
前記つば部の地面側となる面にゴム又はゴムスポンジとされた下ゴムシートが設けられたことを特徴とする請求項１〜８のいずれか１項に記載の浸水防止パネルシート。
【請求項１０】
前記下ゴムシートは前記つば部に接着又は融着されていることを特徴とする請求項９に記載の浸水防止パネルシート。
【請求項１１】
前記シートは化学繊維の織物を含んだ膜材料であり、その表面にポリ塩化ビニルがコーティングされた防水シートであることを特徴とする請求項１〜１０のいずれか１項に記載の浸水防止パネルシート。
【請求項１２】
前記パネルの材質は樹脂製であり、前記シートの剛性よりも大きいことを特徴とする請求項１〜１１のいずれか１項に記載の浸水防止パネルシート。
【請求項１３】
前記パネルは袋状となった前記シートの中に配置されていることを特徴とする請求項１〜１２のいずれか１項に記載の浸水防止パネルシート。
【請求項１４】
前記パネルの下部が前記シートに固定されていることを特徴とする請求項１〜１３のいずれか１項に記載の浸水防止パネルシート。
【請求項１５】
前記展開部の高さは前記シートを設置したときの高さＨと同等以下とされたことを特徴とする請求項７に記載の浸水防止パネルシート。
【請求項１６】
前記シートの上端部と前記展開部との間に高さ折り曲げ部を設け、前記展開部まで水圧を受けた際に前記高さ折り曲げ部が変形するようにしたことを特徴とする請求項７に記載の浸水防止パネルシート。
【発明の詳細な説明】
【技術分野】
【０００１】
本発明は、台風、大雨、洪水、河川の決壊等の水害緊急時に家屋、工場などの建物に対して浸水を防止する浸水防止パネルシートに関する。
【背景技術】
【０００２】
従来、水害緊急時、特に現実的に被害の多い床下浸水、床上浸水程度の災害時において、浸水被害の防止策として、地盤を嵩上げしたり、土壌を積んだり、建物の開口部に防水板を設置したり、建物の周りを可撓性防水シートで取り囲んだりするようなことが行われている。
【０００３】
また、建物等の開口部に設けられた開閉扉からの浸水を防止するため、開閉扉の前にシートを設置、あるいはその周囲と構造物とを一体に覆うことで、適切に止水し、水害による建物内部の被害を軽減すること、シートを保持部材によって保持し、保持部材を着脱自在とすることが知られ、例えば特許文献１に記載されている。
【０００４】
さらに、必要な時に短時間で施工を完了させ、浸水の危険が去った後においては簡単に現状に復帰させるため、可撓性があり、ロール状の浸水防止シートを引き出しながら家屋等の外壁、シャッター、ドア、扉や玄関などを取り囲んで沿わせること、浸水防止シートに粘着手段又は接着手段を設けることが、例えば特許文献２に記載されている。
【０００５】
さらに、防水シートの設置が容易で、迅速かつ確実に水の浸入を遮断できるように、防水シートを水密状態で固定できる縁加工構造とするため、可撓性防水シート材を自立形成支持するシート支持具を備え、係留金具を係留金具基礎の床部に固定し、係留金具に接する係留縁部に、弾性部材が装着された板状断面の帯芯材と係留フックと止水用リブを構成して、防水シートを水の圧力及び重さで圧着させることが特許文献３に記載されている。
【先行技術文献】
【特許文献】
【０００６】
【特許文献１】特開２０１４−２３１７０５号公報
【特許文献２】特開２０１３−１５１８５６号公報
【特許文献３】特開２００８−８８７９１号公報
【発明の概要】
【発明が解決しようとする課題】
【０００７】
しかしながら、上記従来技術において、特許文献１に記載のものでは、保持部材を要するため、開閉扉等の決まった場所だけに設置するには良いが、異なる場所、建物を取り囲むように設置するなどにおいて柔軟性、汎用性が有るとは言い難く、浸水の危険が去った後の保管場所等の収納性も十分ではない。
【０００８】
特許文献２に記載のものは、浸水防止シートを家屋等の外壁などを取り囲んで沿わせる際に、特に角部において密着性が十分でなく、浸水を防ぐには不十分であり、より改善が必要とされる。
【０００９】
また、ロール状のシートを引き出して水平方向に曲げ、全幅の部分を家屋の壁面に沿って立ち上げる作業は、シート自体に剛体がないため、一人で作業することが困難であり、手助けを必要とする。そして、上端部に粘着層が必要であるなど、不要になったときの片付けにおいても、短時間で簡単にできるとは言い難かった。
【００１０】
特許文献３に記載のものも同様であるばかりでなく、シートとは別体となったシート支持具を必要とするなどにより設置の容易性、収納性に難点があった。
【００１１】
本発明の目的は、上記従来技術の課題を解決し、建物等への浸水をより確実に防ぎ、設置及び片付けが一人でも短時間で可能なように簡単にし、凹凸のあるような外壁等にも対応してより柔軟性を持たせると共に、一般家庭等でも災害に備えること、折り畳んで収納することも容易にすることにある。
【課題を解決するための手段】
【００１２】
上記目的を達成するため、本発明は、建物に設置して浸水を防止する浸水防止パネルシートにおいて、建物の周囲に追従して変形可能な可撓性があり非透水性のシートと、前記シートの下端部であり、折り曲げ可能とされたつば部と、前記シートに覆われ、所定幅を有し、前記シートの長手方向に間隔を置いて配置された複数枚の板状のパネルと、を備え、前記建物に設置する際、前記つば部を折り曲げて地面側に敷設し、前記パネルを壁側に立て掛けるものである。なお、所定幅とは過去の水害状況において、被害の多い床下浸水、床上浸水程度の浸水深さに余裕寸法を加算し、あまり重たくならない範囲で決定される幅寸法を意味している。
【００１３】
また、上記のものにおいて、前記つば部の地面側となる面に前記シートより柔軟性の高い弾性体である下ゴムシートが設けられていることが好ましい。
下ゴムシートは、地面の凹凸に沿って変形し、地面の凹凸によって生じる隙間からの水の浸入を防止できる弾性体で構成することができ、それら弾性体すべてが本発明の下ゴムシートに含まれるものであるが、それら弾性体の中で特に、クロロプレンゴム、クロロプレンゴムスポンジ、ニトリルゴム（ＮＢＲ）、ＮＢＲ系ゴムスポンジが望ましい。
【００１４】
さらに、上記のものにおいて、前記シートの上部の左右両端に前記シートより柔軟性の高い弾性体である角部ゴムシートがそれぞれ配置され、前記角部ゴムシートは前記建物の角部に設置されることが好ましい。
角部ゴムシートは、凹凸に応じて変形し、凹凸の隙間を塞ぎうる弾性体すべてをその範囲として含むが、特に、クロロプレンゴム、クロロプレンゴムスポンジ、ニトリルゴム（ＮＢＲ）、ＮＢＲ系ゴムスポンジが望ましい。
【００１５】
さらに、上記のものにおいて、前記シートの左右両端に接続ファスナが設けられ、複数の前記浸水防止パネルシートが前記接続ファスナ同士で接続されることにより、前記浸水防止パネルシートが長手方向に複数接続されることを可能とすることが好ましい。
【００１６】
さらに、上記のものにおいて、前記シートの左右両端に前記シートより柔軟性の高い弾性体であり、浸水防止パネルシート同士を接続するとき、互いの密着を確実にする端部ゴムシートが設けられたことが好ましい。
端部ゴムシートは、凹凸に応じて変形し、凹凸の隙間を塞ぎうる弾性体すべてをその範囲として含むが、特に、クロロプレンゴム、クロロプレンゴムスポンジ、ニトリルゴム（ＮＢＲ）、ＮＢＲ系ゴムスポンジが望ましい。
【００１７】
さらに、上記のものにおいて、前記シートを設置したときの高さＨが５０〜１００ｃｍ、長さＬが２００〜３００ｃｍ、前記つば部の幅Ｍが３０〜５０ｃｍとされたことが好ましい。
【００１８】
さらに、上記のものにおいて、前記シートの上端部に展開部を設け、前記展開部を持ち上げて前記シートの高さを大きくして前記建物側に立て掛け可能としたことが好ましい。
【００１９】
さらに、上記のものにおいて、前記パネルは前記シートに固定されていることが好ましい。
【００２０】
さらに、上記のものにおいて、前記パネルと前記シートの対応する位置にカシメ穴が設けられ、前記カシメ穴にブラインドリベットが挿入され、前記パネルと前記シートとが共に固定されていることが好ましい。
【００２１】
さらに、上記のものにおいて、前記つば部の地面側となる面にゴム又はゴムスポンジとされた下ゴムシートが設けられたことが好ましい。
下ゴムシートは、凹凸に応じて変形し、凹凸の隙間を塞ぎうる弾性体すべてをその範囲として含むが、特に、クロロプレンゴム、クロロプレンゴムスポンジ、ニトリルゴム（ＮＢＲ）、ＮＢＲ系ゴムスポンジが望ましい。
【００２２】
さらに、上記のものにおいて、前記下ゴムシートは前記つば部に接着又は融着されていることが好ましい。
【００２３】
さらに、上記のものにおいて、前記シートは化学繊維の織物を含んだ膜材料であり、その表面にポリ塩化ビニルがコーティングされた防水シートであることが好ましい。
【００２４】
さらに、上記のものにおいて、前記パネルの材質は樹脂製であり、前記シートの剛性よりも大きいことが好ましい。
【００２５】
さらに、上記のものにおいて、前記パネルは袋状となった前記シートの中に配置されていることが好ましい。
【００２６】
さらに、上記のものにおいて、前記パネルの下部が前記シートに固定されていることが好ましい。
【００２７】
さらに、上記のものにおいて、前記展開部の高さは前記シートを設置したときの高さＨと同等以下とされたことが好ましい。
【００２８】
さらに、上記のものにおいて、前記シートの上端部と前記展開部との間に高さ折り曲げ部を設け、前記展開部まで水圧を受けた際に前記高さ折り曲げ部が変形するようにしたことが好ましい。
【発明の効果】
【００２９】
本発明の浸水防止パネルシートは、非透水性のシートの下端部につば部を設け、シートに間隔を置いて複数枚の板状のパネルを配置し、つば部を折り曲げて地面側に敷設し、前記パネルを建物の壁側に立て掛けるので、設置が簡単となり収納も容易となると共に、水圧を受けた際に、シート全体に力が確実に掛かり、浸水を防ぐのに十分な建物への密着性が得られる。
【図面の簡単な説明】
【００３０】
【図１】本発明の実施形態に係る浸水防止パネルシートの主要部を示す正面図。
【図２】実施形態に係る浸水防止パネルシートを建物に装着した状態を示す斜視図。
【図３】図１における縦断面図。
【図４】実施形態に係る浸水防止パネルシートの裏面図。
【図５】実施形態に係る浸水防止パネルシートの接続状態を示す斜視図。
【図６】実施形態に係る浸水防止パネルシートを折り畳む途中を示す斜視図。
【図７】実施形態に係る浸水防止パネルシートの収納状態を示す斜視図。
【図８】本発明の他の実施形態に係る浸水防止パネルシートの主要部を示す正面図。
【図９】他の実施形態に係る浸水防止パネルシートの主要部の斜視図。
【図１０】図８における縦断面図。
【図１１】他の実施形態に係る浸水防止パネルシートを建物に装着した状態を示す斜視図。
【発明を実施するための形態】
【００３１】
以下に、本発明の実施形態に係るシートとパネルとを組み合わせた浸水防止パネルシート（ＡＦＰシート：Ａｎｔｉ  Ｆｌｏｏｄ  Ｐａｎｅｌ  Ｔａｒｐａｕｌｉｎ）について図面を参照して詳細に説明する。この実施形態により発明が限定されるものでなく、実施形態における構成要素には当業者が容易に想定できるもの、あるいは実質的に同一のものも含まれる。
＜実施形態１＞
【００３２】
図１は、本発明の浸水防止パネルシートの主要部を示す正面図（一部は斜視図）、図２は浸水防止パネルシートを建物（又は家屋）３０の壁に装着した例を示す斜視図である。図１及び図２を参照して、シート１は非透水性、遮水性であり、物体の表面形状に、特に建物３０の周囲、柱等に追従して変形することができる十分な可撓性を有している。また、シート１は、樹脂材料で構成されることが好ましく、産業資材の用途で使用されている高密な織物からなる膜材料であってもよいし、織物に樹脂材料が覆われたものであっても良い。また、シート１を構成する織物に用いられる繊維基材としては、高強力で、耐水性、耐腐食性が良好であるナイロン、ポリエステル、あるいはガラスなどの化学繊維が望ましく、その表面の接着可能性を考慮すると、シート１は繊維基材にポリ塩化ビニルがコーティングされた防水シートであるターポリンが適している。
【００３３】
シート１の鉛直方向の高さＨは、被害の多い床下浸水、床上浸水程度の浸水深さに余裕寸法を加算して、設置の容易性の点であまり重くならない範囲の６０〜７０ｃｍ、７０ｃｍ前後が良い。長さＬは家屋等を取り巻くことができることが望ましいが、複数を接続、連結して長くして使用することを可能とし、取扱いの容易さを考慮した長さ、２００〜３００ｃｍ、２５０ｃｍ程度が良い。なお、高さＨは浸水防止パネルシートを壁に設置した際の高さである。
【００３４】
シート１の下端部であり、地面と接触する底面には、少なくともシート１の表面に対して１８０度以上折り曲げ可能とされたつば部３が設けられ、その幅Ｍは土嚢、レンガを重りとして乗せられるように３０〜５０ｃｍ、４０ｃｍ前後とされている。
【００３５】
また、シート１に覆われて板状とされた複数枚のパネル２が長さ方向に間隔を置いて配置され、パネル２の幅ＰＬは１０〜２０ｃｍ、略１５ｃｍであり、間隔は４〜６ｃｍ、略５ｃｍとし、シート１を長さ方向で折り畳むことを可能とし、屋内、軒下などに収納するのに適切な大きさとなっている。パネル２の高さ方向の寸法は、シート１の鉛直方向の高さＨ、つまり、シート１の上端部からつば部３の折り曲げ位置までの寸法と同等若しくはそれ以下であり、図１に示すようにパネル２の上端部がシート１の上端部側に、ほぼ一致するように配置されている。
パネル２の下端は、つば部３との折り曲げ位置付近となるシート下部６まで到達している。これにより、建物３０に立てかけるだけで自立することができ、外側から水圧を受けた際に、パネル２に力が確実に掛かると共に、シート１が壁側へ変形し、シート１全体が建物３０へしっかりと密着するように働く。
【００３６】
図３は図１の縦断面を示し、シート１は上下がコの字形となった袋状となっており、その中にパネル２が配置され、その材質は水により腐食されないように塩ビ、ポリアセタール、ＡＢＳ等の樹脂製であることが望ましく、その厚さはシート１の剛性よりも大きくなるように１〜２ｃｍとしている。パネル２の下側はシート１の立ち上り部７で覆われ、パネル２、シート１の対応する位置、一枚のパネル２で２か所にカシメ穴が設けられ、ブラインドリベット８を穴に挿入しハンドリベッタで片側からの作業でパネル２、シート１を共にカシメ結合し固定している。ブラインドリベット８を用いるので浸水の恐れがない。ブラインドリベット８の材質は、アルミニウム、ステンレスであることが浸水に対して腐食を防ぐ点で望ましい。
【００３７】
つば部３の下にはシート１に比べてより柔軟性の高い弾性体である下ゴムシート５が接着されている。シート１と下ゴムシート５との接着には塩化ビニル樹脂用の接着剤が望ましい。下ゴムシート５の厚さは設置個所となる地面の凹凸に沿うように１〜２ｃｍであることが好ましい。また、下ゴムシート５は、地面の凹凸に沿って変形し、地面の凹凸によって生じる隙間からの水の浸入を防止できる弾性体で構成することができ、それら弾性体すべてが本発明の下ゴムシート５に含まれるものであるが、それら弾性体の中で特に、クロロプレンゴム、クロロプレンゴムスポンジ、ニトリルゴム（ＮＢＲ）、ＮＢＲ系ゴムスポンジが望ましい。
【００３８】
図４は浸水防止パネルシートの裏面側を示し、建物側となる面である。下ゴムシート５はつば部３をほぼ覆うように下部がつば部３の幅と同じであり、上部はシート下部６の中央部まで延伸し、幅がつば部３よりも大きくＴ字形となっている。また、シート１の左右両端には下ゴムシート５と同じ材質、同じ厚さの角部ゴムシート９がそれぞれ配置されている。この角部ゴムシート９は建物等に浸水防止パネルシートを設置する際、柱等の角部に当て設置する部分となる。図４のように角部ゴムシート９は、高さ方向で上端から下端部に至るまでとして角部からの浸水を確実に防止している。ここで、つば部３の幅（長手方向）をシート１の幅（長手方向）に合わせた構成とすることもできる。この場合、下ゴムシート５は、上部がシート下部６の幅（長手方向）と同じで、下部がつば部３の幅と同じ、即ち、長方形状になる。
【００３９】
なお、図４では左右両端に角部ゴムシート９をそれぞれ設けているが、シート１に左右の角部ゴムシート９を長手方向に繋げて設けても良い。また、角部ゴムシート９とシート１とは、シート１と下ゴムシート５との接着と同様に、塩化ビニル樹脂用の接着剤で接着することが望ましい。
【００４０】
その他、浸水防止パネルシートには、左右両端部にハトメ穴１０が高さ方向に数か所、４〜８個設けられ、収納するときに折り畳んだ後、紐などを通して縛ることに用いられる。さらに、図１に示すように、本発明の浸水防止パネルシートの表面（図１で示す面）には、その図面視左側端部の中央寄りに下ゴムシート５と同様の材質とされた端部ゴムシート４が、それより端部側に接続ファスナ１１がそれぞれ配置されている。浸水防止パネルシートの裏面（図４で示す面）には、図４に示すように、その図４図面視左側端部（図１図面視では右側端部）の中央寄りに接続ファスナ１１が、それより端部側に下ゴムシート５と同様の材質とされた端部ゴムシート４がそれぞれ配置されている。それら接続ファスナ１１と、端部ゴムシート４は、シート１に接着あるいは高周波融着されており、浸水防止パネルシートを複数個長手方向に接続して利用する際に用いられる。
ここで、図１に示される端部ゴムシート４と接続ファスナ１１の位置は、入れ替わって配置されても良く、その場合は、図４においても端部ゴムシート４と接続ファスナ１１の位置が入れ替わって配置されることになる。
【００４１】
なお、接続ファスナ１１、端部ゴムシート４の高さはシート１の鉛直方向の高さＨにほぼ等しく、接続ファスナ１１は浸水防止パネルシートの貼り合わせに、端部ゴムシート４は接続部の密着を確実にするものである。
【００４２】
複数の浸水防止パネルシートを接続する際は、１つ目の浸水防止パネルシートの表面の接続ファスナ１１と、２つ目の浸水防止パネルシートの裏面の接続ファスナ１１とを接続する。この際、１つ目の浸水防止パネルシートの表面の端部ゴムシート４と、２つ目の浸水防止パネルシートの裏面の端部ゴムシート４とが、対向して接触し、互いに押圧することになるので、１つ目の浸水防止パネルシートと２つ目の浸水防止パネルシートとの接続部からの浸水を防ぐことができる。同様にして、複数の浸水防止パネルシートをいくつでも接続することができる。
【００４３】
浸水防止パネルシートの建物３０への装着は、柱等の角部から開始することができる。つば部３を建物３０の壁に対して垂直に折り曲げ、地面側に下ゴムシート５を介して水平に沿うように敷設し、つば部３の端部をほぼ角部に合わせる。シート１の残りの部分を立ち上げてパネル２を壁側に寄り掛けるようにして立て掛ける。このとき、パネル２の下側がシート１に固定されているので、パネル２はより壁側に倒れるようになる。
【００４４】
次に、つば部３の端部の上に、まず、重りとして、土嚢、レンガ等を置く。そして、折り畳んだ状態からパネル２を持ってシート１を蛇腹状に繰り出して長さ方向へ伸ばして壁に沿わせて行く。このとき、パネル２は壁側に倒れて寄り添って立つので、シート１だけではしわ無く伸ばすのに一人では困難で手助けが必要であったものが、一人で簡単に壁側に立てかけることで装着が可能となる。
【００４５】
また、パネル２は複数枚が長さ方向に間隔を置いて配置されているので、板を単に、壁側に立て掛けたものと異なり、密着性、遮水性を損なうことがない。
【００４６】
さらに、下ゴムシート５の厚さと、その材質の柔軟性により、地面側に砂利が敷き詰められているような凹凸があったとしても沿うようになり、適切に変形、屈曲して隙間を閉塞することができる。また、舗装されているような場合には、摩擦力が大きくなり、水圧や風圧に対して抵抗力となる。
【００４７】
壁に立て掛けた浸水防止パネルシートの上端部に配置された角部ゴムシート９を建物３０の角部に当てる。これにより、柱部に凹凸があっても隙間を埋めることができ、建物３０で浸水の恐れが最も高い角からの浸水を効果的に防ぐことができる。また、水圧が強くなれば、より一層に密着することとなる。
【００４８】
シート１を伸ばした後、つば部３の上に長手方向に適宜、数か所、重りを置いて行く。建物３０の入口等で浸水する場所が限られている場合には、一つの浸水防止パネルシートで長さが足りるので、これで作業は終了する。実際に、水圧を受けるようになれば、パネル２が既に壁に寄り添って立っているので、より密着することになる。建物３０の浸水領域として全体に設置する必要がある場合は浸水防止パネルシートを長さ方向に接続していく。
【００４９】
図５は、接続部を示す斜め上方から見た斜視図であり、手前側の浸水防止パネルシートと後側の浸水防止パネルシートの接続ファスナ１１が重なるように位置合わせされる。接続ファスナ１１は布に特殊な加工をした面的に着脱できる面ファスナ、又は粘着性のあるシート状のものであり、接続ファスナ１１が重なることでそれぞれの端部ゴムシート４が重なる。したがって、接続ファスナ１１の貼り合わせにより、さらには水圧によって接続部が隙間なく圧密され、水の浸入を遮断できる。また、多少の位置ずれが有ったとしても端部ゴムシート４の幅によって重なる部分が残り実用上の問題はなく、接続、取り外しも容易に行うことができる。ここで、接続ファスナ１１は、長手方向に垂直な方向が開口しているコの字形状のものであっても良い。このコの字形状同士が互いに嵌合することにより接続されることができる。
【００５０】
図６、７は浸水防止パネルシートの収納状態を示す斜視図であり、図６は蛇腹状に折り畳みを開始した状態、図７は最終的な収納状態を示している。つば部３はパネル２が設けられていないので、図のように二つ折りしてシート１と重ねることができる。パネル２は間隔を置いて配置されるので、隣接したパネル２の間は可撓性のあるシート１であり、蛇腹状に折り畳んで行くことができる。これにより、シート１を広げる必要もなく、狭い場所で収納操作が可能となる。最終的には図７に示すように直方体状にすることができ、ハトメ穴１０に紐などを通してしっかりと緻密にすることができるので、保管スペースも小さくて済み、複数重ねて収納することも容易となる。
【００５１】
以上のように、本発明の浸水防止パネルシートによれば、大雨洪水警報がでた時点、あるいは浸水の恐れが現実的になった時点で、一人、あるいは二人位の少人数で取り出して、短時間に設置することができる。また、一般的な家屋では木造が多く、水害に対する抵抗力が乏しいが、浸水に備えて貴重品や水濡れによって使用不能となるような電気製品等を２階に慌てて運ぶ必要もなく、時間的な余裕もできる。なお、住居用の一般的な家屋に限らず、集合住宅、車庫、倉庫、工場、店舗等あるいは一般的に構造物の開口部の浸水を防止する止水板に効果を高めるために、補助的に適用できるのは言うまでもない。
＜実施形態２＞
【００５２】
図８は、他の実施形態における浸水防止パネルシートの主要部を示す正面図（一部は斜視図）、図９は水かさが低く、床上浸水程度の使用状態から高さ方向に展開する状態を示す斜視図、図１１は水かさが増す恐れがある場合、浸水防止パネルシートを建物（又は家屋）３０の壁に装着した例を示す斜視図である。各図において、実施形態１と同一部分には同一符号を付して説明を省略し、異なる部分の詳細を主に説明する。
ここで、図８においては、図１における接続ファスナ１１と端部ゴムシート４との位置が入れ替わった形態を示している。
【００５３】
シート１は非透水性、遮水性であり、建物３０の周囲、柱等に追従して変形することができる十分な可撓性を有している。図１の浸水防止パネルシートに対して展開部１５を設けた点が主に異なる。シート１の鉛直方向の高さＨは、被害の多い床下浸水、床上浸水程度の浸水深さを基準にして決定されるが、展開部１５の高さＧは、浸水深さがそれ以上に予想される場合を考慮して決められる。通常は、高さＨと同程度、あるいはその半分の長さとするのが実用上において適している。
【００５４】
シート１に覆われて長さ方向に間隔を置いて配置されたパネル２に対して、幅、間隔が同じとなるように補助パネル１４が配置されている。また、補助パネル１４とパネル２との間にはいずれのパネルも無いシート１の高さ折り曲げ部１３となっている。したがって、収納時には高さ折り曲げ部１３で高さ方向に折り畳み、次に、シート１全体をパネル２と共に長さ方向に折り畳むことができる。
【００５５】
また、床上浸水程度の浸水深さが予想される場合は、図９に示すように、高さ折り曲げ部１３で高さ方向に折り畳んで図１のものと同様に、補助パネル１４を建物３０の壁に立て掛けて設置する。浸水深さが大きいと予想される場合は、図９で矢印方向に補助パネル１４を持って展開部１５を持ち上げる。
【００５６】
補助パネル１４の高さは、パネル２の高さと同じ、あるいはその半分の長さとすることでも良く、設置の容易さの点、実用上の点だけでなく、補助パネル１４とパネル２とを共通部品として低価格化する点でも適している。
【００５７】
図１０は、図８において高さ折り曲げ部１３で折り曲げた状態の縦断面を示している。図１０に示すように、シート１はつば部３から出発し、凹部が下向きのコの字を形成し、コの字の平行２辺にそれぞれパネル２と補助パネル１４が配置されるように袋状に形成されている。補助パネル１４の材質はパネル２と同じであることが好ましいが、その厚さはパネル２よりも薄くして軽くすることが望ましい。また、補助パネル１４もシート１にブラインドリベット８でカシメ結合され固定されることが好ましいが、その位置は図１０に示すように、高さ折り曲げ部１３側とする。これにより、壁に立て掛ける点、水圧を受けた際に建物へより密着し易くなる点で望ましい。
【００５８】
図１１は浸水防止パネルシートの展開部１５を展開して建物（又は家屋）３０の壁に設置した状態を示し、展開部１５まで水圧を受けた際に、補助パネル１４に力が確実に掛かると共に、高さ折り曲げ部１３が壁側へ変形し、展開部１５が建物３０へしっかりと密着するように働く。図１１においては、実施形態１で備えている角部ゴムシート９が記載されていないが、実施形態２においても角部ゴムシート９を備えた方が好ましいことは言うまでもない。
【００５９】
上記によれば、床上浸水程度の浸水深さに対して水かさが増す恐れがある場合に対応できるばかりでなく、浸水経過にしたがって、後からでも防水高さを高くすることが一人でも簡単にでき、収納状態もそれにより大きくなることもない。
【符号の説明】
【００６０】
１    シート
２    パネル
３    つば部
４    端部ゴムシート
５    下ゴムシート
６    シート下部  
７    立ち上り部
８    ブラインドリベット
９    角部ゴムシート
１０  ハトメ穴
１１  接続ファスナ
１３  高さ折り曲げ部
１４  補助パネル
１５  展開部
３０  建物
【要約】
【課題】建物等への水の浸水をより確実に防ぎ、設置及び片付けを簡単にし、凹凸のあるような外壁等にも対応してより柔軟性を持たせると共に、折り畳んで収納することも容易にする。
【解決手段】建物３０へ設置して浸水を防止する浸水防止パネルシートにおいて、建物３０の周囲に追従して変形可能な可撓性があり非透水性のシート１と、シート１の下端部であり、折り曲げ可能とされたつば部３と、シート１に覆われ、所定幅を有し、長さ方向に間隔を置いて配置された複数枚の板状のパネル２と、を備え、建物３０に設置する際、つば部３を折り曲げて地面側に敷設し、パネル２を壁側に立て掛ける。
【選択図】図１【図１】
0005763860.tif 000002
【図２】
0005763860.tif 000003
【図３】
0005763860.tif 000004
【図４】
0005763860.tif 000005
【図５】
0005763860.tif 000006
【図６】
0005763860.tif 000007
【図７】
0005763860.tif 000008
【図８】
0005763860.tif 000009
【図９】
0005763860.tif 000010
【図１０】
0005763860.tif 000011
【図１１】
0005763860.tif 000012